(57)【要約】      （修正有）【課題】クリーナークロスの持ち忘れを防止し、いつでもどこでも眼鏡や携帯通信機器の表面クリーニングを可能としたシャツを提供する。【解決手段】シャツ本体１に、袋状体２１からなるポケット２０が縫製されたシャツであって、袋状体２１の開口部２２がシャツ本体１の表面に露出し、袋状体２１の本体はシャツ本体１の裏側に舌状に垂れ下がるようにシャツ本体１に縫製されてなり、袋状体２１は内布がクリーニングクロスからなり、袋状体２１を裏返すように開口部２２から引き出すことにより、クリーニングクロスがシャツ本体１から露出するようになされている。【選択図】図１
0003225324.tif 000002
【実用新案登録請求の範囲】
【請求項１】
シャツ本体に、袋状体からなるポケットが縫製されたシャツであって、
前記袋状体の開口部が前記シャツ本体の表面に露出し、該袋状体本体は該シャツ本体の裏側に舌状に垂れ下がるように前記シャツ本体に縫製されてなり、
前記袋状体は内布がクリーニングクロスからなり、
前記袋状体を裏返すように前記開口部から引き出すことにより、前記クリーニングクロスが前記シャツ本体から露出するようになされていることを特徴とするシャツ。
【請求項２】
前記袋状体の内側底部に、該袋状体を引き出すためのタグが縫製されている、請求項１に記載のシャツ。
【請求項３】
前記袋状体は、前記シャツ本体の前身頃の胸部に縫製されている、請求項１または２に記載のシャツ。
【請求項４】
前記ポケットの前記開口部に、ボタンとループからなる係合部材が配されている、請求項１〜３のいずれか１項に記載のシャツ。
【考案の詳細な説明】
【技術分野】
【０００１】
本考案は、シャツに関する。
【背景技術】
【０００２】
ワイシャツ、ドレスシャツ、カジュアルシャツなどの上衣用衣類には、胸の箇所にポケットが設けられていることが多く、筆記用具や眼鏡などの小物の収納に用いられている。
【０００３】
また、近年、携帯電話又はスマートフォンなどの携帯通信機器の普及率は高まり、多くの人が移動通信機器を常時持ち歩く時代へとなっており、このような携帯通信機器をポケットに入れている人も多い（例えば、特許文献１）。
【０００４】
ところで、眼鏡は顔からの皮脂や空気中のホコリなどで汚れ、また、携帯通信機器においては、タッチパネル操作により手の脂などで画面が汚れるため、定期的に、眼鏡や携帯通信機器の表面をクリーナークロスで拭いてきれいにする必要がある。
【先行技術文献】
【特許文献】
【０００５】
【特許文献１】実用新案登録第３２０９４７９号
【考案の概要】
【考案が解決しようとする課題】
【０００６】
ところが、クリーナークロスを持ち忘れたり、手元にクリーナークロスが無く、ティッシュペーパーやウェットティッシュなどで拭く場合もある。
【０００７】
しかしながら、そのような対処法は、表面の小さなキズや、ひいては故障にもつながりかねない。そのため、専用のクリーニングクロスの使用が推奨される。
また、クリーニングクロスを眼鏡ケースや鞄などにしまっておくと、使用のたびに取り出したりしまったりしなければならないのは手間である。
【０００８】
本考案は、上述した従来の実情に鑑みてなされたものであり、クリーナークロスの持ち忘れを防止し、いつでもどこでも眼鏡や携帯通信機器の表面クリーニングを可能としたシャツを提供することを目的とする。
【課題を解決するための手段】
【０００９】
［１］
シャツ本体に、袋状体からなるポケットが縫製されたシャツであって、
前記袋状体の開口部が前記シャツ本体の表面に露出し、該袋状体本体は該シャツ本体の裏側に舌状に垂れ下がるように前記シャツ本体に縫製されてなり、
前記袋状体は内布がクリーニングクロスからなり、
前記袋状体を裏返すように前記開口部から引き出すことにより、前記クリーニングクロスが前記シャツ本体から露出するようになされていることを特徴とするシャツ。
［２］
前記袋状体の内側底部に、該袋状体を引き出すためのタグが縫製されている、［１］に記載のシャツ。
［３］
前記袋状体は、前記シャツ本体の前身頃の胸部に縫製されている、［１］または［２］に記載のシャツ。
［４］
前記ポケットの前記開口部に、ボタンとループからなる係合部材が配されている、［１］〜［３］のいずれかに記載のシャツ。
【考案の効果】
【００１０】
本考案では、ポケットにクリーナークロスを一体化させることでクリーナークロスの持ち忘れを防止し、いつでもどこでも眼鏡や携帯通信機器の表面クリーニングを可能としたシャツを提供することが可能となる。
【図面の簡単な説明】
【００１１】
【図１】本考案のシャツの一構成例を示す平面図。
【図２】本考案のシャツの一構成例を示す図であり、袋状体を開口部から引き出した状態を示す平面図。
【図３】ポケット部分を拡大して示す図。
【図４】ポケット部分の縦断面図。
【図５】袋状体を裏返すように開口部から引き出す様子を示す縦断面図。
【図６】袋状体を開口部から引き出した状態を示す図。
【図７】袋状体を開口部から引き出した状態を示す縦断面図。
【考案を実施するための形態】
【００１２】
以下、本考案の実施の形態について、図面を参照しながら説明する。
図１および図２は、本考案のシャツの一構成例を示す平面図である。図３は、ポケット部分を拡大して示す図であり、図４は、ポケット部分の縦断面図である。
【００１３】
なお、以下の説明では、本考案のシャツとして前開きのワイシャツ、ドレスシャツまたはカジュアルシャツを例に挙げて説明するが、これに限定されるものではない。
【００１４】
図１に示すように、本実施形態に係るシャツは、後身頃３、後身頃３の左右に開閉可能に連設される左前身頃２および右前身頃２′、首周りに設けられる襟部４、襟部４と後身頃３との間に設けられる肩ヨーク５、および肩ヨーク５の左右の肩口に取付けられる袖部６，６´、を有するシャツ本体１により構成される。図１に示す例では、袖部６，６´は、長袖である。
【００１５】
シャツ本体１は、左前身頃２の一方端２ａおよび右前身頃２′の他方端２´ａにそれぞれ設けられた前合わせ部８,８′が釦９ａと釦孔９ｂ、または雄雌のスナップ（図には示さず）よりなる係止具１０を係脱させることにより、左前身頃２、および右前身頃２′の前合わせ部８,８′相互を開閉可能に形成される。
【００１６】
そして、このシャツ本体１は、例えばポリエステルのような合成樹脂繊維糸、或いは綿糸、またはこれら合成樹脂繊維糸やレーヨン等の人造繊維綿糸との混合により形成される。シャツ本体１は、適宜図柄、適宜色彩を付すことにより形成されていてもよい。
【００１７】
本実施形態に係るシャツでは、シャツ本体１、図に示す例では左前身頃２の胸部に、袋状体２１からなるポケット２０が縫製されている。図２および図３に示すように、袋状体２１は、開口部２２がシャツ本体１の表面に露出し、袋状体２１の本体はシャツ本体１の裏側に舌状に垂れ下がるように、シャツ本体１に縫製されている。
【００１８】
そして特に、本実施形態の袋状体２１は内布２１ａがクリーニングクロス２３からなり、袋状体２１を裏返すように開口部２２から引き出すことにより、クリーニングクロス２３がシャツ本体１から露出するようになされている。
【００１９】
図５は、袋状体２１を裏返すように開口部２２から引き出す様子を示す図であり、図２、図６および図７は引き出した状態を示す図である。
【００２０】
袋状体２１の内側底部には、クリーニングクロス２３を引き出す際に持ち手となるタグ２４を縫い付けておくことが好ましい。タグ２４をつかんで引っぱることで、クリーニングクロス２３を引き出しやすくなる。
そして、露出したクリーニングクロス２３を用いて、眼鏡や携帯通信機器などの表面を拭いてクリーニングすることができる。
【００２１】
拭き終わったら、クリーニングクロス２３が内側になるように袋状体２１を元の状態、すなわち図１〜図３に示す状態にする。
【００２２】
内布２１ａのクリーニングクロス２３には、一般的にクリーニングクロスとして用いられている布帛を用いることができ、例えばナイロンやポリエステルのマイクロファイバー不織布が挙げられる。ナイロンおよびポリエステルを混合して用いる場合、その混合比は、例えば、ポリエステル８５％、ナイロン１５％とする。
【００２３】
なお、本考案では、ポケット２０の内側がクリーニングクロス２３で構成されていればよく、袋状体２１を構成する布帛が、外布と内布２１ａとの２層構造になっていてもよいし、一枚の布であっても構わない。
【００２４】
袋状体２１の大きさ（深さ）、開口部２２のサイズは特に限定されるものではないが、例えば、携帯通信機器も大画面化していること、ポケット２０の内部に手を入れて裏返したりすること、裏返したクリーニングクロス２３で眼鏡や携帯通信機器の表面を拭く作業を考慮すると、ある程度の大きさは必要である。一方、大きすぎても（深すぎても）ポケット２０の内容物が取り出しづらかったり、袋状体２１を裏返す作業がやりにくかったりする。そのため、例えば、縦（ポケット部分の深さ）は１４ｃｍ〜１８ｃｍ程度、横（ポケット内側の幅）は１０ｃｍ〜１３ｃｍ程度とすることが好ましい。
【００２５】
通常、眼鏡用のクリーニングクロスは比較的小さいために紛失してしまったり、洗濯等をした後に持ち忘れてしまったりすることもあるが、本考案ではポケット２０にクリーニングクロス２３が一体化されているので、クリーニングクロスの紛失や持ち忘れが防止される。
【００２６】
また、クリーニングクロスを眼鏡ケースや鞄などにしまっておくと、使用のたびに取り出したりしまったりしなければならず手間がかかるが、本考案ではシャツの胸ポケットからクロスを引き出すだけなので、手軽に簡単に、いつでもどこでも眼鏡や携帯通信機器の表面クリーニングが可能となる。
【００２７】
さらに、クリーニングクロスが洗濯されないまま眼鏡ケース等の中に入れっぱなしにされることもなく、シャツと同時に頻繁に洗濯されるため、清潔に保つことができる。
【００２８】
また、眼鏡や携帯通信機器をポケットに入れて持ち運ぶ人も多く、本考案のポケット２０に眼鏡や携帯通信機器を入れておくだけでも、内布２１ａのクリーニングクロス２３と接触することで、表面が自然にクリーニングされる効果も期待される。
【００２９】
通常のシャツでは、シャツ本体１の表面にポケット布が縫製されることにより、ポケットが構成されている。そのため、お辞儀やかがんだりなど、上半身を前傾した場合に、ポケットの内容物の重みでポケット布が垂れて傾くことで、内容物が落下する可能性がある。
【００３０】
これに対し、本実施形態のシャツでは、袋状体２１が、シャツ本体１の裏側に配されているため、かがんだりしても垂れて傾くようなことはなく、ポケット２０の内容物の落下が防止される。
【００３１】
さらに、図３に示すように、ポケット２０の開口部２２に、ボタン２５とループ２６、またはボタンとボタン穴（図示せず）などからなる係合部材を配しておくことが好ましい。ボタン２５とループ２６、またはボタンとボタン穴を係合させておくことで、内容物の落下をより確実に防止することができる。また、開口部２２を覆うようにフラップ（蓋）が縫着されていてもよい。
【００３２】
以上、本考案の実施の形態について説明してきたが、本考案はこれに限定されるものではなく、考案の趣旨を逸脱しない範囲で適宜変更可能である。
【００３３】
例えば、上述した説明では、本考案のシャツとして前開きのシャツ（ワイシャツ、ドレスシャツまたはカジュアルシャツ）を例に挙げて説明したが、本考案はこれに限定されるものではなく、ポロシャツ等のスポーツシャツ、作業用シャツなど、シャツの種類や形状には限定されず適用可能である。
【００３４】
また、上述した説明では、袋状体からなるポケットがシャツ本体として左前身頃の胸部に縫製されている場合を例に挙げて説明したが、ポケットの縫製位置は限定されず、例えば右前身頃に縫製されていてもよい。
【産業上の利用可能性】
【００３５】
本考案によるシャツを用いることで、クリーナークロスの持ち忘れを防止し、いつでもどこでも眼鏡や携帯通信機器の表面クリーニングが可能なものとなり、ワイシャツ、ドレスシャツまたはカジュアルシャツ等として広く利用することができる。
【符号の説明】
【００３６】
１      ：シャツ本体
２      ：左前身頃
２ａ    ：一方端
２´ａ  ：他方端
２′    ：右前身頃
３      ：後身頃
４      ：襟部
５      ：肩ヨーク
６      ：袖部
６´    ：袖部
８      ：前合わせ部
９ａ    ：釦
９ｂ    ：釦孔
１０    ：係止具
２０    ：ポケット
２１    ：袋状体
２１ａ  ：内布
２２    ：開口部
２３    ：クリーニングクロス
２４    ：タグ
２５    ：ボタン
２６    ：ループ
【図１】
0003225324.tif 000003
【図２】
0003225324.tif 000004
【図３】
0003225324.tif 000005
【図４】
0003225324.tif 000006
【図５】
0003225324.tif 000007
【図６】
0003225324.tif 000008
【図７】
0003225324.tif 000009